(57)【要約】【課題】  ハザード制御中に車両のドア錠を遠隔操作した際に、ランプ点滅の視認性を向上させるとともに、ハザード制御と報知制御とを識別できるようにして、乗員が施錠または解錠を確実に認識することができるようにする。【解決手段】  ドア錠に関する操作の後、予め設定された直前点灯禁止時間だけターンシグナルランプＴＬの点灯を禁止する直前点灯禁止制御手段を備え、報知制御手段が、予め設定された直前点灯禁止時間が経過した後に、報知制御時間だけターンシグナルランプＴＬを点滅させるようにした。【選択図】  図１
2005054527.tif 000002
【特許請求の範囲】
【請求項１】
車両のドア錠に関する操作が行われると、ハザード制御用のランプを予め設定された報知制御時間だけ点滅させる報知制御手段を有するアンサーバック装置において、
前記ドア錠に関する操作の後、予め設定された直前点灯禁止時間だけ前記ランプの点灯を禁止する直前点灯禁止制御手段を備え、
前記報知制御手段は、前記直前点灯禁止時間が経過した後に、報知制御時間だけ該ランプを点滅させることを特徴とする車両用アンサーバック装置。
【請求項２】
前記報知制御時間が経過した後に、予め設定された直後点灯禁止時間だけ前記ランプの点灯を禁止する直後点灯禁止制御手段を備えたことを特徴とする請求項１に記載の車両用アンサーバック装置。
【請求項３】
前記ドア錠に関する操作の後に前記点灯禁止制御手段により前記ランプの点灯を禁止してから前記報知制御手段を動作させる通常モードと、前記ドア錠に関する操作の後に前記点灯禁止制御手段の動作を省略して前記報知制御手段を動作させる禁止制限モードと、に切り換える制御切換手段を備えたことを特徴とする請求項１または２に記載の車両用アンサーバック装置。
【請求項４】
前記制御切換手段は、前記ランプがハザード制御の時に通常モードに切り換え、前記ランプがハザード制御以外の時に禁止制限モードに切り換えることを特徴とする請求項３に記載の車両用アンサーバック装置。
【請求項５】
前記報知制御手段は、前記ドアが施錠された後に前記ランプの点滅制御を行うことを特徴とする請求項１から４のいずれか一項に記載の車両用アンサーバック装置。
【発明の詳細な説明】
【技術分野】
【０００１】
本発明は、車両のドア錠に関する操作が行われると、ハザード制御用のランプを予め設定された報知制御時間だけ点滅させる車両用アンサーバック装置に関するものである。
【背景技術】
【０００２】
従来、この種の車両用アンサーバック装置として、車両のドア錠に関する操作が可能な送信機と、この送信機から受信した認識信号に基づいてドアロック装置及びターンシグナルランプを制御するキーレスエントリ制御部と、を備えたものが知られている（例えば、特許文献１参照。）。ドアロック装置は、乗員が車両外部からドア錠に鍵を挿入して回動したり、ドアの室内側の操作部を利用した手動操作が可能となっている。また、左右一対のターンシグナルランプは、車両走行時には方向指示器の役割を果たし、車両停止等に各ランプを同時に点滅させるハザード制御が可能となっている。
【０００３】
この車両用アンサーバック装置によれば、乗員が送信機を用いて、車両外部からドア錠の施錠操作または解錠操作を行うと、ドアロック装置により施錠動作または解錠動作が行われる。すなわち、乗員は、車両から離れた位置からドアのロック及びアンロックを行うことができる。そして、ドアロック装置の動作の後、ターンシグナルランプを報知制御時間だけ点滅させて、車両外部の乗員にドアがロックまたはアンロックされたことを認識させるようになっている。
【特許文献１】特開２００１−２５４５４５号公報
【発明の開示】
【発明が解決しようとする課題】
【０００４】
しかしながら、前記車両用アンサーバック装置では、ターンシグナルランプを使用してハザード制御を行っているときに、乗員が送信機を用いてドアの施錠操作または解錠操作を行うと、ハザード制御中に報知制御によるランプの点滅が割り込むこととなる。これにより、ハザード制御から報知制御、または、報知制御からハザード制御への切換時にランプの点滅のタイミングがずれると、ランプの点滅が不自然になり視認性が悪くなるという問題点がある。さらに、乗員は、ターンシグナルランプの点滅が、報知制御によるものであるのか、ハザード制御によるものであるのかを識別することができず、ドアの施錠または解錠を確認することができないという問題点があった。
【０００５】
本発明は、前記事情に鑑みてなされたものであり、その目的とするところは、ハザード制御中に車両のドア錠を遠隔操作した際に、ランプ点滅の視認性を向上させるとともに、ハザード制御と報知制御とを識別できるようにして、乗員が施錠または解錠を確実に認識することのできる車両用アンサーバック装置を提供することにある。
【課題を解決するための手段】
【０００６】
前記目的を達成するため、請求項１に記載の発明では、車両のドア錠に関する操作が行われると、ハザード制御用のランプを予め設定された報知制御時間だけ点滅させる報知制御手段を有するアンサーバック装置において、前記ドア錠に関する操作の後、予め設定された直前点灯禁止時間だけ前記ランプの点灯を禁止する直前点灯禁止制御手段を備え、前記報知制御手段は、前記直前点灯禁止時間が経過した後に、報知制御時間だけ該ランプを点滅させることを特徴とする。
【０００７】
請求項１に記載の発明によれば、乗員によりドア錠に関する操作が行われると、直前点灯禁止時間だけランプの点灯が禁止される。これにより、ハザード制御中にランプが点滅している状態でドア錠に関する操作が行われると、直前点灯禁止時間だけランプの消灯状態が維持される。そして、直前点灯禁止時間が経過した後に、報知制御時間だけランプが点滅する。
【０００８】
従って、ハザード制御中にドア錠に関する操作が行われた際に、ランプの消灯維持状態前がハザード制御による点滅であり、ランプの消灯維持状態後が報知制御による点滅であることを乗員は認識することができる。また、ハザード制御中に報知制御が割り込んで、ランプの点滅タイミングがずれて視認性に悪影響を与えることもない。すなわち、乗員はハザード制御による点滅と、報知制御による点滅とを明確に識別して、車両のドアが施錠または解錠されたことを確実に認識することができる。
【０００９】
請求項２に記載の発明では、請求項１に記載の車両用アンサーバック装置において、前記報知制御時間が経過した後に、予め設定された直後点灯禁止時間だけ前記ランプの点灯を禁止する直後点灯禁止制御手段を備えたことを特徴とする。
【００１０】
請求項２に記載の発明によれば、請求項１の作用に加え、ハザード制御中にランプが点滅している状態でドア錠に関する操作が行われると、報知制御時間が経過した後に、直後点灯禁止時間だけランプの点灯が禁止される。これにより、ハザード制御中にランプが点滅している状態でドア錠に関する操作が行われると、報知制御時間だけランプが点滅した後、直後点灯禁止時間だけランプの消灯状態が維持され、ハザード制御へと復帰する。
【００１１】
従って、ハザード制御中にドア錠に関する操作が行われた際に、ランプが報知制御による点滅後に消灯維持状態となるので、報知制御からハザード制御へ復帰する際にも、ランプの点滅タイミングがずれて視認性に悪影響を与えることはない。また、乗員はハザード制御による点滅と、報知制御による点滅とをさらに明確に識別して、車両のドアが施錠または解錠されたことをさらに確実に認識することができる。
【００１２】
請求項３に記載の発明では、請求項１または２に記載の車両用アンサーバック装置において、前記ドア錠に関する操作の後に前記点灯禁止制御手段により前記ランプの点灯を禁止してから前記報知制御手段を動作させる通常モードと、前記ドア錠に関する操作の後に前記点灯禁止制御手段の動作を省略して前記報知制御手段を動作させる禁止制限モードと、に切り換える制御切換手段を備えたことを特徴とする。
【００１３】
請求項３に記載の発明によれば、通常モードでは、報知制御手段が動作するので、ランプのハザード制御時に、乗員はハザード制御による点滅と、報知制御による点滅とを明確に識別することができる。また、禁止制限モードでは、点灯禁止制御手段が動作しないので、ドア錠に関する操作の後、速やかに報知制御によりランプが点滅する。従って、これらの動作を乗員の嗜好、ランプの制御状態等に応じて切り換えることができる。
【００１４】
請求項４に記載の発明では、請求項３に記載の車両用アンサーバック装置において、前記制御切換手段は、前記ランプがハザード制御の時に通常モードに切り換え、前記ランプがハザード制御以外の時に禁止制限モードに切り換えることを特徴とする。
【００１５】
請求項４に記載の発明によれば、請求項３の作用に加え、ランプのハザード制御と連動して、通常モードと禁止制限モードに自動的に切り換えることができ、実用に際して極めて有利である。
【００１６】
請求項５に記載の発明では、請求項１から４のいずれか一項に記載の車両用アンサーバック装置において、前記報知制御手段は、前記ドアが施錠された後に前記ランプの点滅制御を行うことを特徴とする。
【００１７】
請求項５に記載の発明によれば、請求項１から４のいずれか一項の作用に加え、ドアの施錠の動作前にランプが点滅する。ここで、ドアの施錠の動作後にランプが点滅する従来のものの場合、ランプが点滅するまでにタイムラグが生じ、ユーザはドアの施錠または解錠が正常に行われているのか不安になる。
【００１８】
従って、ドアの施錠の動作前にランプを点滅させることで、ユーザに不安感を与えることはないし、ドアの施錠が速やかに行われている印象を与えることができる。
【発明の効果】
【００１９】
このように、本発明によれば、ハザード制御中に車両のドア錠を遠隔操作した際に、乗員によるランプ点滅の視認性を向上させることができるし、乗員は、ハザード制御による点滅と報知制御による点滅とを明確に識別して、車両のドアが施錠または解錠されたことを確実に認識することができる。
【発明を実施するための最良の形態】
【００２０】
図１から図４は本発明の一実施形態を示すもので、図１は車両用アンサバック装置の概略構成ブロック図、図２は制御部の記憶部の構成ブロック図、図３は制御部の動作を示すフローチャート、図４はターンシグナルランプの点灯・消灯の状態を示すタイミングチャートである。
【００２１】
図１に示すように、この車両用アンサーバック装置１は、車両に備えられた電源ＣＶ、車載アンテナＣＡ、車載ホーンＣＨ、ドアロックモータＤＭ、ドアスイッチＤＳ、ターンシグナルランプＴＬ等に接続し、送信ユニット２からの電波信号を車載アンテナＣＡにて受信すると、ドアロックモータＤＭを駆動するとともに、ハザード制御用のターンシグナルランプＴＬを報知制御時間だけ点滅させる。尚、送信ユニット２からの電波信号を受信した際に、車載ホーンＣＨを吹鳴させる設定とすることもできるようになっている。
【００２２】
ここで、送信ユニット２は、車両の使用者が携帯するキーレスエントリシステムのものであり、ロックボタン２ａ及びアンロックボタン２ｂを有する。これにより、車両の使用者は、車両から離れた場所で送信ユニット２を操作することができる。
【００２３】
車両用アンサバック装置１は、車載アンテナＣＡに接続するキーレス信号受信部１１と、車載ホーンＣＨに接続するホーン駆動部１２と、ドアロックモータＤＭに接続するモータ駆動部１３と、ターンシグナルランプＴＬに接続するランプ駆動部１４と、を有している。また、車両用アンサバック装置１は、車両のドアの開閉状態を検出するドアスイッチＤＳに接続するとともに、キーレス信号受信部１１、ホーン駆動部１２、モータ駆動部１３、ランプ駆動部１４とに接続される制御部１５を有している。また、制御部１５には、乗員のスイッチ操作に応じてターン動作状態信号、ハザード動作状態信号を制御部１５に入力するターンシグナル・ハザードユニット１６が接続されている。
【００２４】
ここで、簡単にキーレスエントリの機能を説明する。使用者によりロックボタン２ａまたはアンロックボタン２ｂが押圧されると、送信ユニット２からキーレス信号が発せられる。そして、車載アンテナＣＡで受信されたキーレス信号は、キーレス信号受信部１１にて所定の処理が施された後、制御部１５に入力される。キーレス信号が制御部１５に入力されると、制御部１５はドアスイッチＤＳによりドアの開閉状態を検出する。そして、ドアが閉状態のときにロックボタン２ａが押圧された場合は施錠する指令信号をモータ駆動部１３に出力し、ドアが開状態のときにアンロックボタン２ｂが押圧された場合は解錠する指令信号をモータ駆動部１３に出力するようになっている。これにより、車両の外部で使用者が送信ユニット２を操作することにより、車両のドアが施錠または解錠される。
【００２５】
図２に示すように、制御部１５は、例えばＲＯＭ、ＲＡＭ等からなる記憶部１５ａと、例えばＣＰＵ等からなる演算部１５ｂとを有している。記憶部１５ａには、報知制御プログラム１０１と、点灯禁止制御プログラム１０２と、制御切換プログラム１０３と、が記憶されている。点灯禁止制御プログラム１０２は、直前点灯禁止制御プログラム１０２ａと、直後点灯禁止制御プログラム１０２ｂとを含むものである。すなわち、本実施形態においては、制御部１５が、報知制御手段と、直前点灯禁止制御手段と、直後点灯禁止制御手段と、制御切換手段とをなしている。
【００２６】
報知制御プログラム１０１は、送信ユニット２により車両のドア錠に関する操作が行われると、ターンシグナルランプＴＬを予め設定された報知制御時間ＲＴだけ点滅させるためのプログラムである。ここで、本実施形態においては、ターンシグナルランプＴＬは、同様の時間間隔で点灯・消灯を繰り返すことにより点滅する。また、ハザード制御時においても、報知制御時においても、同様の時間間隔で点灯・消灯を繰り返すように設定されている。また、ロック操作時における報知制御時間ＲＴは、ターンシグナルランプＴＬが２回点灯する時間に設定され、アンロック操作時における報知制御時間ＬＴは、ターンシグナルランプＴＬが１回点灯する時間に設定される。これにより、ドアが施錠されたのか、解錠されたのかを識別できるようになっている。
【００２７】
本実施形態においては、報知制御プログラム１０１は、ドアロックモータＤＭの駆動によりドアが施錠されてから、ターンシグナルランプＴＬの点滅制御を行うようになっている。尚、ドアの解錠時は、施錠時と同様にドアが解錠されてからターンシグナルランプＴＬの点滅制御を行ってもよいし、ターンシグナルランプＴＬを点滅させてからドアの解錠制御を行ってもよい。また、点灯禁止制御プログラム１０２は、このターンシグナルランプＴＬの報知制御の前後で、予め設定された点灯禁止時間ＬＴだけターンシグナルランプＴＬの点灯を禁止するためのプログラムである。直前点灯禁止制御プログラム１０２ａは、ドア錠に関する操作の後、予め設定された点灯禁止時間ＬＴ（直前点灯禁止時間）だけターンシグナルランプＴＬの点灯を禁止するためのプログラムである。また、直後点灯禁止制御プログラム１０２ｂは、報知制御時間ＲＴの経過の後、点灯禁止時間ＬＴ（直後点灯禁止時間）だけターンシグナルランプＴＬの点灯を禁止するためのプログラムである。尚、本実施形態の直前点灯禁止時間と直後点灯禁止時間とは、ともに点灯禁止時間ＬＴで同じ長さとなっている。
【００２８】
また、制御切換プログラム１０３は、点灯禁止制御プログラム１０２によりターンシグナルランプＴＬの点灯を禁止してから報知制御プログラム１０１を動作させる通常モードと、ドア錠に関する操作の後に点灯禁止制御プログラム１０２を動作を省略して報知制御プログラム１０１を動作させる禁止制限モードと、に切り換えるためのプログラムである。本実施形態においては、制御切換プログラム１０３は、ターンシグナルランプＴＬがハザード制御の時に通常モードに切り換え、ターンシグナルランプＴＬがハザード制御以外の時に禁止制限モードに切り換える。
【００２９】
以上のように構成された車両用アンサバック装置１の制御部１５の動作を、図３に示すフローチャートを参照して説明する。
【００３０】
まず、送信ユニット２のロックボタン２ａまたはアンロックボタン２ｂが操作されて、送信ユニット２から発信されたキーレス信号を車載アンテナＣＡを介して受信したか否かを判別する（ステップＳ１）。ここで、キーレス信号が受信されていない場合は、ステップＳ１に戻り待機状態となる。
【００３１】
ステップＳ１にてキーレス信号を受信した場合は、ターンシグナルランプＴＬがハザード制御中か否かを判別する（ステップＳ２）。ここで、ハザード制御中、すなわちターンシグナル・ハザードユニット１６よりハザード信号が制御部１５に入力されている場合は、通常モードへ移行して、予め設定された点灯禁止時間ＬＴだけターンシグナルランプＴＬの点灯を禁止する（ステップＳ３）。そして、点灯禁止時間ＬＴの経過後、報知制御時間ＲＴだけターンシグナルランプＬＴを点滅させる（ステップＳ４）。報知制御時間ＲＴの経過後、再び点灯禁止時間ＬＴだけターンシグナルランプＴＬの点灯を禁止する（ステップＳ５）。そして、ドアロックモータＤＭを動作させてドアの施錠または解錠を行って（ステップＳ６）、アンサバック制御を終了する。
【００３２】
また、ステップＳ２でハザード制御中でない場合は、報知制御時間ＲＴだけターンシグナルランプＬＴを点滅させる（ステップＳ７）。この後、ステップＳ６へ進み、ドアロックモータＤＭを動作させて、アンサバック制御を終了する。
【００３３】
このように制御部１５が動作した際の、ターンシグナルランプＴＬの点灯状態を図４を参照して説明する。尚、図４には、報知制御時にターンシグナルランプＴＬが２回点滅するドアの施錠時の状態を示している。
【００３４】
図４（ａ）に示すように、ハザード制御によりターンシグナルランプＴＬが点滅している状態で、送信ユニット２のロックボタン２ａまたはアンロックボタン２ｂが操作されると、ターンシグナルランプＴＬは点灯禁止時間ＬＴだけ消灯状態が維持される。そして、点灯禁止時間ＬＴが経過した後に、報知制御時間ＲＴだけ点滅する。この後、再び、点灯禁止時間ＬＴだけ消灯維持状態となった後に、ハザード制御に復帰してターンシグナルランプＴＬが点滅する。
【００３５】
図４（ｂ）に示すように、ハザード制御されておらずターンシグナルランプＴＬが消灯している状態で、送信ユニット２のロックボタン２ａまたはアンロックボタン２ｂが操作されると、ターンシグナルランプＴＬは直ちに点滅を開始する。ターンシグナルランプＴＬが報知制御時間ＲＴだけ点滅した後、再び消灯維持状態となる。
【００３６】
このように、本実施形態の車両用アンサバック装置１によれば、ハザード制御中にドア錠に関する操作が行われた際には、ターンシグナルランプＴＬの点灯禁止時間ＬＴの消灯制御前がハザード制御による点滅であり、点灯禁止時間ＬＴの消灯制御後が報知制御による点滅であることを乗員は認識することができる。また、ハザード制御中に報知制御が割り込んで、ターンシグナルランプＴＬの点滅時間がずれて視認性に悪影響を与えることもない。特に、報知制御後にも点灯禁止時間ＬＴを設け、直ちにハザード制御が再開されないようにしたので、視認性を飛躍的に向上することができる。すなわち、乗員はハザード制御による点滅と、報知制御による点滅とを明確に識別して、車両のドアが施錠または解錠されたことを確実に認識することができる。
【００３７】
また、本実施形態の車両用アンサバック装置１によれば、通常モードでは、報知制御プログラム１０１が動作するので、ターンシグナルランプＴＬのハザード制御時に、乗員はハザード制御による点滅と、報知制御による点滅とを明確に識別することができる。また、禁止制限モードでは、点灯禁止制御プログラム１０２が動作しないので、ドア錠に関する操作の後、速やかに報知制御によりターンシグナルランプＴＬを点滅させることができる。特に、本実施形態においては、これらの動作を切り換える制御切換プログラム１０３の動作により、ターンシグナルランプＴＬのハザード制御と連動して、通常モードと禁止制限モードに自動的に切り換えることができ、実用に際して極めて有利である。
【００３８】
また、本実施形態の車両用アンサバック装置１によれば、ドアの施錠の動作前にターンシグナルランプＴＬを点滅させることで、ユーザに不安感を与えることはないし、ドアの施錠が速やかに行われている印象を与えることができる。従って、車両の商品性を向上することができる。すなわち、ドアの施錠の動作後にターンシグナルランプＴＬが点滅する従来のものの場合、ターンシグナルランプＴＬが点滅するまでにタイムラグが生じ、ユーザはドアの施錠が正常に行われているのか不安になり、商品力が低下することとなる。
【００３９】
尚、前記実施形態においては、ハザード制御時のみに、点灯禁止時間ＬＴだけターンシグナルランプＴＬが消灯維持状態となるものを示したが、例えば、記憶部１５ａに、点灯禁止制御プログラム１０２、制御切換プログラム１０３等が記憶されていないもののように、ハザード制御でないときにも点灯禁止時間ＬＴだけターンシグナルランプＴＬを消灯維持状態となるようにしてもよい。また、ハザード制御時の代わりに、ターンシグナル制御時に同様の制御を適用してもよい。
【００４０】
また、前記実施形態においては、ドアロックモータＤＭの動作の前に、報知制御を行うものを示したが、従来どおり報知制御の後にドアロックモータＤＭを動作させるものであってもよい。
【００４１】
また、前記実施形態においては、ハザード制御時か否かにより通常モードと禁止制限モードとに切り換えるものを示したが、乗員が手動により各モードに切り換えるようにしてもよい。この場合は、乗員の嗜好に応じて、制御を変更することができる。
【００４２】
また、前記実施形態においては、施錠時、解錠時のいずれであってもアンサバック制御が行われるものを示したが、施錠時のみアンサバック制御が行われるものであってもよいし、その他、具体的な細部構造等についても適宜に変更可能であることは勿論である。
【図面の簡単な説明】
【００４３】
【図１】本発明の一実施形態を示す車両用アンサバック装置の概略構成ブロック図である。
【図２】制御部の記憶部の構成ブロック図である。
【図３】制御部の動作を示すフローチャートである。
【図４】ターンシグナルランプの点灯・消灯の状態を示すタイミングチャートであって、（ａ）はハザード制御の時に報知制御が行われる場合、（ｂ）はハザード制御以外の時に報知制御が行われる場合のものである。
【符号の説明】
【００４４】
１          車両用アンサバック装置
２          送信ユニット
２ａ        ロックボタン
２ｂ        アンロックボタン
１１        キーレス信号受信部
１３        モータ駆動部
１４        ランプ駆動部
１５        制御部
１５ａ      記憶部
１５ｂ      演算部
１０１      報知制御プログラム
１０２      点灯禁止制御プログラム
１０３      制御切換プログラム
ＣＡ        車載アンテナ
ＤＭ        ドアロックモータ
ＤＳ        ドアスイッチ
ＬＴ        点灯禁止時間
ＲＴ        報知制御時間
ＴＬ        ターンシグナルランプ
【図１】
2005054527.tif 000003
【図２】
2005054527.tif 000004
【図３】
2005054527.tif 000005
【図４】
2005054527.tif 000006